(57)【要約】【課題】複数のゲイン制御回路を有するボタン電話装置において、通話音量調整を制御する部分（ゲイン制御回路）が複数箇所に亘って配置されていると、通話相手先端末によっては各ゲイン制御回路のゲイン配分が適切でなくなり音声品質の低下が生じる。【解決手段】ボタン電話機（ＴＥＬ）２０に設けられた音量設定入力回路２４の音量キー等の操作で音量変化操作されたとき、各受話ゲイン制御回路１５、２５（又は送話ゲイン制御回路１６、２６）の設定値を勘案して、最適ゲインを再設定することにより、ノイズレベルの増加による音声品質の低下を防止する。【選択図】図1
2006238262.tif 000002
【特許請求の範囲】
【請求項１】
ボタン電話主装置及び該ボタン電話主装置に内線で接続された少なくとも１台のボタン電話機により構成されるボタン電話装置において、
前記ボタン電話主装置及び前記ボタン電話機にそれぞれ設けられた受話（又は送話）信号のゲインを制御する受話（又は送話）ゲイン制御回路を、前記ボタン電話機に設けられた音量設定入力回路の設定に応じて、前記ボタン電話主装置及び前記ボタン電話機の受話（又は送話）ゲイン制御回路のゲインを連携して制御する制御装置を備えることを特徴とするボタン電話装置。
【請求項２】
前記制御装置は、前記ボタン電話主装置及び前記ボタン電話機の受話（又は送話）設定ゲイン制御回路の設定ゲインに基づき前記ボタン電話主装置及び前記ボタン電話機の受話（又は送話）実行ゲインを決定することを特徴とする請求項１に記載のボタン電話装置。
【請求項３】
前記ボタン電話主装置及び前記ボタン電話機は、それぞれメモリを備え、前記設定された受話（又は送話）ゲインの設定値を格納することを特徴とする請求項１又は２に記載のボタン電話装置。
【請求項４】
同じ通話相手先端末からの次回の通話時には、前記メモリに格納された前記受話（又は送話）ゲイン設定値に前記ボタン電話主装置及びボタン電話機の前記受話（又は送話）ゲイン制御回路の前記受話（又は送話）ゲインを設定することを特徴とする請求項３に記載のボタン電話装置。
【請求項５】
前記メモリは、それぞれ前記受話（又は送話）ゲインの初期値を格納し、通話相手先端末との通話が終話する毎に前記受話（または送話）ゲインを前記初期値に設定することを特徴とする請求項３に記載のボタン電話装置。
【請求項６】
ボタン電話主装置及び該ボタン電話主装置に内線で接続された少なくとも１台のボタン電話機により構成されるボタン電話装置の受話（又は送話）ゲインを制御するボタン電話装置のゲイン制御方法において、
前記ボタン電話主装置及び前記ボタン電話機にそれぞれ設けられた受話（又は送話）ゲインを調整する受話（又は送話）ゲイン制御回路の受話（又は送話）ゲインの変更の有無を判断するステップと、変更された受話（又は送話）ゲインをメモリに格納するステップと、前記受話（又は送話）ゲインのアップか否かを判断するステップと、該判断結果に基づき予め決めた条件を満たすか否か判断するステップと、該判断結果により受話（又は送話）実行ゲインを設定するステップとを備えることを特徴とするボタン電話装置のゲイン制御方法。
【請求項７】
前記設定された受話（又は送話）実行ゲインを前記メモリに格納し、同じ通話相手先端末との次回以降の通話に使用するステップを備えることを特徴とする請求項６に記載のボタン電話装置のゲイン制御方法。
【請求項８】
通話相手先端末との通話の終話時に、前記受話（または送話）ゲインを予め設定した初期値に設定するステップを備えることを特徴とする請求項６に記載のボタン電話装置のゲイン制御方法。
【請求項９】
それぞれ受話（又は送話）ゲイン制御回路を含むボタン電話主装置及び少なくとも１台のボタン電話機により構成されるボタン電話装置の受話（又は送話）ゲインを制御するボタン電話装置のゲイン制御方法において、
前記ボタン電話機のユーザがボタン電話機に設けられた音量設定入力回路を操作したか否か判断するステップと、前記音量設定入力回路を操作して音量を変更したとき、前記ボタン電話主装置及び前記ボタン電話機の受話（又は送話）ゲイン制御回路のゲインを、前記両ゲイン制御回路のゲイン変更が最小になるように変更設定するステップとを備えることを特徴とするボタン電話装置のゲイン制御方法。
【請求項１０】
前記ボタン電話機のユーザによる音量設定変更がある場合には、変更された音量設定をメモリに格納するステップを備えることを特徴とする請求項９に記載のボタン電話装置のゲイン制御方法。
【請求項１１】
前記ボタン電話機のユーザによる音量設定変更があった場合には、前記ボタン電話主装置及び前記ボタン電話機の設定ゲインによる２条件に基づき判断して、前記ボタン電話主装置及び前記ボタン電話機の受話（又は送話）ゲインを３つの実行設定の何れかに設定するステップを備えることを特徴とする請求項９又は１０に記載のボタン電話装置のゲイン制御方法。
【請求項１２】
前記２条件は、前記ボタン電話機の設定ゲインが＜０で前記ボタン電話主装置の設定ゲインが＞０及び前記ボタン電話機の設定ゲインが＞０で前記ボタン電話主装置の設定ゲイン＜０であることを特徴とする請求項１１に記載のボタン電話装置のゲイン制御方法。
【発明の詳細な説明】
【技術分野】
【０００１】
本発明はボタン電話装置に関し、特に受話／送話音声信号の音量を、良好な音質が得られる適切な値（ゲイン）に制御可能にするボタン電話装置及びそのゲイン制御方法に関する。
【背景技術】
【０００２】
ボタン電話装置（又は簡易電話交換装置）は、ボタン電話主装置（ＭＥ）とボタン電話機又は専用電話機端末（ＴＥＬ）により構成される電話装置である。斯かるボタン電話装置は、中小企業等で広く採用されている。尚、以下の説明では、ボタン電話装置と称しているが、本発明が想定するものは、同様な機能を有する電話交換装置であり、ボタン電話装置に限定するものではない。
【０００３】
斯かるボタン電話装置に関する又は関連する技術は、幾つかの公知技術文献に開示されている。音声通話の音量調整をＤＳＰ(Digital Signal Processor)を使用してデジタル信号にて処理することを可能とするデジタル多機能電話機又はボタン電話装置が開示されている（例えば、特許文献１参照。）。また、内線電話端末に受話信号レベルの変更要求を行うためのキーを設けることにより、受信側の通信端末装置において、常に希望する最適な信号レベルで受信可能にする交換通信システムが開示されている（例えば、特許文献２参照。）。
【０００４】
【特許文献１】特開２００１−３６６１３号公報（第３頁、第２図）
【特許文献２】特開平５−２３６５３８号公報（第３−４頁、第２図、第３図）
【０００５】
従来の一般的なボタン電話装置は、ボタン電話機内に、受話ゲイン制御回路及び送話ゲイン制御回路を備え、それぞれ通話相手先端末との受話ゲイン及び送話ゲインを、ユーザが制御可能に構成している。即ち、ボタン電話主装置を介して接続された通話相手先端末が近端（近距離）又は遠端（遠距離）であるかにより、送受信音声の大きさが異なる。そこで、ボタン電話機のユーザは、通話相手先端末により、必要に応じて適宜にゲインを調整して、聞き取りが容易である音声レベルとすることを可能にしている。
【０００６】
以下、具体例に基づいて説明する。例えば、図４に示す如く、ボタン電話主装置の受話ゲインの設定値が−３［ｄＢ］であり、ボタン電話機の受話ゲインが０［ｄＢ］であるとする。これらのゲイン設定は、通話相手先端末が近端である場合には最適であっても、例えば遠端の通話相手先端末との通話の場合には、ボタン電話機のユーザは、相手先の声が小さく聞き取りにくいと感じることとなる。そこで、ボタン電話機のユーザは、ボタン電話機内の音声設定入力回路の音量キー等を操作して受話音量アップする。その結果、音量変更後のボタン電話機の受話ゲインは、例えば＋６［ｄＢ］となる。
【発明の開示】
【発明が解決しようとする課題】
【０００７】
しかし、上述の如くボタン電話機の受話ゲイン制御回路により必要なゲインを得る場合には、高いゲイン（例えば、＋６［ｄＢ］）に設定されたボタン電話機の受話ゲイン制御回路により、受話音声信号に含まれるノイズ及び周辺回路等によるノイズ等の影響を受けて受話音声の品質低下を生じるという課題があった。
【０００８】
本発明は、従来技術の上述した課題に鑑みなされたものであり、斯かる課題を克服又は軽減して、通話相手先端末に応じて良好な音声品質の通話を可能にするボタン電話装置及びそのゲイン制御方法を提供することを主たる目的とする。
【課題を解決するための手段】
【０００９】
前述の課題を解決するため、本発明によるボタン電話装置及びそのゲイン制御方法は次のような特徴的な構成を採用している。
【００１０】
（１）ボタン電話主装置及び該ボタン電話主装置に内線で接続された少なくとも１台のボタン電話機により構成されるボタン電話装置において、
前記ボタン電話主装置及び前記ボタン電話機にそれぞれ設けられた受話（又は送話）信号のゲインを制御する受話（又は送話）ゲイン制御回路を、前記ボタン電話機に設けられた音量設定入力回路の設定に応じて、前記ボタン電話主装置及び前記ボタン電話機の受話（又は送話）ゲイン制御回路のゲインを連携して制御する制御装置を備えるボタン電話装置。
（２）前記制御装置は、前記ボタン電話主装置及び前記ボタン電話機の受話（又は送話）設定ゲイン制御回路の設定ゲインに基づき前記ボタン電話主装置及び前記ボタン電話機の受話（又は送話）実行ゲインを決定する上記（１）のボタン電話装置。
（３）前記ボタン電話主装置及び前記ボタン電話機は、それぞれメモリを備え、前記設定された受話（又は送話）ゲインの設定値を格納する上記（１）又は（２）のボタン電話装置。
（４）同じ通話相手先端末からの次回の通話時には、前記メモリに格納された前記受話（又は送話）ゲイン設定値に前記ボタン電話主装置及びボタン電話機の前記受話（又は送話）ゲイン制御回路の前記受話（又は送話）ゲインを設定する上記（３）のボタン電話装置。
（５）前記メモリは、それぞれ前記受話（又は送話）ゲインの初期値を格納し、通話相手先端末との通話が終話する毎に前記受話（または送話）ゲインを前記初期値に設定する上記（３）のボタン電話装置。
（６）ボタン電話主装置及び該ボタン電話主装置に内線で接続された少なくとも１台のボタン電話機により構成されるボタン電話装置の受話（又は送話）ゲインを制御するボタン電話装置のゲイン制御方法において、
前記ボタン電話主装置及び前記ボタン電話機にそれぞれ設けられた受話（又は送話）ゲインを調整する受話（又は送話）ゲイン制御回路の受話（又は送話）ゲインの変更の有無を判断するステップと、変更された受話（又は送話）ゲインをメモリに格納するステップと、前記受話（又は送話）ゲインのアップか否かを判断するステップと、該判断結果に基づき予め決めた条件を満たすか否か判断するステップと、該判断結果により受話（又は送話）実行ゲインを設定するステップとを備えるボタン電話装置のゲイン制御方法。
（７）前記設定された受話（又は送話）実行ゲインを前記メモリに格納し、同じ通話相手先端末との次回以降の通話に使用するステップを備える上記（６）のボタン電話装置のゲイン制御方法。
（８）通話相手先端末との通話の終話時に、前記受話（または送話）ゲインを予め設定した初期値に設定するステップを備える上記（６）のボタン電話装置のゲイン制御方法。
（９）それぞれ受話（又は送話）ゲイン制御回路を含むボタン電話主装置及び少なくとも１台のボタン電話機により構成されるボタン電話装置の受話（又は送話）ゲインを制御するボタン電話装置のゲイン制御方法において、
前記ボタン電話機のユーザがボタン電話機に設けられた音量設定入力回路を操作したか否か判断するステップと、前記音量設定入力回路を操作して音量を変更したとき、前記ボタン電話主装置及び前記ボタン電話機の受話（又は送話）ゲイン制御回路のゲインを、前記両ゲイン制御回路のゲイン変更が最小になるように変更設定するステップとを備えるボタン電話装置のゲイン制御方法。
（１０）前記ボタン電話機のユーザによる音量設定変更がある場合には、変更された音量設定をメモリに格納するステップを備える上記（９）のボタン電話装置のゲイン制御方法。
（１１）前記ボタン電話機のユーザによる音量設定変更があった場合には、前記ボタン電話主装置及び前記ボタン電話機の設定ゲインによる２条件に基づき判断して、前記ボタン電話主装置及び前記ボタン電話機の受話（又は送話）ゲインを３つの実行設定の何れかに設定するステップを備える上記（９）又は（１０）のボタン電話装置のゲイン制御方法。
（１２）前記２条件は、前記ボタン電話機の設定ゲインが＜０で前記ボタン電話主装置の設定ゲインが＞０及び前記ボタン電話機の設定ゲインが＞０で前記ボタン電話主装置の設定ゲイン＜０である上記（１１）のボタン電話装置のゲイン制御方法。
【発明の効果】
【００１１】
本発明のボタン電話装置及びそのゲイン制御方法によると、次の如き実用上の顕著な効果が得られる。即ち、本発明によると、ボタン電話主装置及びボタン電話機という２箇所に設けられた受話／送話ゲイン制御回路を制御装置（ＣＰＵ）により個別でなく連携して制御し、各受話／送話ゲイン制御回路のゲインが少なめになるように設定する。その結果、不要なノイズの増幅を抑えて、良好な通話品質（又は音質）を得ることが可能である。また、１つの通話相手先端末との通話が終話すると、受話／送話ゲインを予め設定された初期値に設定するので、異なる通話相手先端末との通話が不当に大きい又は小さい音量に設定されることがない。更に、一度通話した同じ通話相手先端末からの次回以降の通話の場合には、格納された受話／送話ゲインにより最適な受話／送話ゲインに設定されるので、ユーザが音量設定入力回路を操作する手間を省くことが可能である。
【実施例】
【００１２】
以下、本発明によるボタン電話装置及びそのゲイン制御方法の好適実施例の構成及び動作を、添付図面を参照して詳細に説明する。
【００１３】
先ず、図１は、本発明によるボタン電話装置の好適実施例の構成を示す機能ブロック図である。本発明のボタン電話装置は、ボタン電話主装置（ＭＥ）１０及びこのボタン電話主装置１０に内線２１を介して接続された少なくとも１台のボタン電話機（ＴＥＬ）２０により構成される。
【００１４】
ボタン電話主装置１０は、外線インタフェース１３、２線／４線変換回路１４、受話ゲイン制御回路１５、送話ゲイン制御回路１６、制御装置（ＣＰＵ）１７、メモリ（記憶装置）１８及び内線インタフェース１９により構成されている。ここで、外線インタフェース１３は、外線３１を介して交換局３２に接続され、この交換局３２には複数の通話相手先端末３３が接続される。また、外線インタフェース１３は、ボタン電話主装置１０内の２線／４線変換回路１４に接続され、受話ゲイン制御回路１５及び送話ゲイン制御回路１６を介して内線インタフェース１９に接続される。そして、受話ゲイン制御回路１５及び送話ゲイン制御回路１６は、制御装置（ＣＰＵ）１７に接続され、それぞれこのＣＰＵ１７により受話ゲイン及び送話ゲインが調整される。また、ＣＰＵ１７は、データ及びプログラムを格納するメモリ（記憶装置）１８に接続されると共に内線インタフェース１９及び外線インタフェースにも接続されている。
【００１５】
一方、ボタン電話機２０は、ハンドセット入力回路２２、ハンドセット出力回路２３、音量キー等の音量設定入力キー２４、受話ゲイン制御回路２５、送話ゲイン制御回路２６、制御装置（ＣＰＵ）２７、メモリ２８及び内線インタフェース２９により構成される。
【００１６】
ハンドセット入力回路２２及びハンドセット出力回路２３は、それぞれハンドセットの送話器又はマイク（Ｔ）２２ａ及び受話器又はスピーカ（Ｒ）２３ａに接続されている。ハンドセット入力回路２２は、送話ゲイン制御回路２６を介して内線インタフェース２９に接続される。また、内線インタフェース２９は、受話ゲイン制御回路２５を介してハンドセット出力回路２３に接続される。音量設定入力回路２４及びメモリ２８は、ＣＰＵ２７に接続される。そして、このＣＰＵ２７は、内線インタフェース２９に接続されると共に、受話ゲイン制御回路２５及び送話ゲイン制御回路２６に接続され、それぞれ受話ゲイン及び送話ゲインを制御する。ボタン電話機２０の内線インタフェース２９は、内線２１を介して上述したボタン電話主装置１０の内線インタフェース１９に接続されている。従って、ボタン電話主装置１０のＣＰＵ１７とボタン電話機２０のＣＰＵ２７は、内線インタフェース１９、２９及び内線２１を介して相互に接続されていることに留意されたい。
【００１７】
次に、ボタン電話機２０のユーザが、ボタン電話主装置１０及び交換局３２を介して外部の通話相手先端末３３と通話する場合について説明する。ボタン電話機２０のユーザの通話音声は、ハンドセットの送話器２２ａからハンドセット入力回路２２、送話ゲイン制御回路２６、内線インタフェース２９、内線２１、ボタン電話主装置１０の内線インタフェース１９、送話ゲイン制御回路１６、２線／４線変換回路１４、外線インタフェース１３、外線３１、交換局３２を介して通話相手先端末３３へ送られる。一方、通話相手先端末３３からの通話音声、即ちボタン電話機２０のユーザの受話信号は、交換局３２、外線３１、外線インタフェース１３、２線／４線変換回路１４、受話ゲイン制御回路１５、内線インタフェース１９、内線２１、ボタン電話機２０内の内線インタフェース２９、受話ゲイン制御回路２５及びハンドセット出力回路２３を介してハンドセットの受話器２３ａに送られ、ボタン電話機２０のユーザの耳に音声として出力される。
【００１８】
上述の如く、ボタン電話機２０のユーザの通話信号は、ボタン電話機２０内の送話ゲイン制御回路２６及びボタン電話主装置１０内の送話ゲイン制御回路１６のゲインで決まるゲインで増幅されて通話相手先端末３３に送られる。同様に、通話相手先端末３３から送信される音声は、ボタン電話主装置１０内の受話ゲイン制御回路１５及びボタン電話機２０内の受話ゲイン制御回路２５のゲインで増幅されて、ボタン電話機２０のユーザへ、ハンドセットの受話器２３ａから音声として出力される。ここで、これら受話ゲイン制御回路１５、２５及び送話ゲイン制御回路１６、２６のゲインは、それぞれボタン電話主装置１０及びボタン電話機２０内部に設けられたＣＰＵ１７、２７により制御される。
【００１９】
上述の如く、ボタン電話機２０のユーザは、種々の通話相手先端末３３から受信する受話信号を最適にするため、音量設定入力回路２４の音量キー等を操作することによりＣＰＵ２７を介してボタン電話機２０内の受話ゲイン制御回路２５のみならずＣＰＵ２７と協働するボタン電話主装置１０内のＣＰＵ１７により受話ゲイン制御回路１５のゲインを制御して通話相手先端末３３からの受話信号のゲインを増減することが可能である。
【００２０】
次に、図２の説明図を参照して、本発明によるボタン電話装置の受話ゲイン制御の例について簡単に説明する。図２においては、左側にボタン電話主装置１０の受話ゲイン制御回路１５の受話ゲインを、右側にボタン電話機２０の受話ゲイン制御回路２５の受話ゲインを、それぞれ音量変更前及び音量変更後について例示している。この具体例では、ボタン電話主装置１０の受話ゲインが−３［ｄＢ］及びボタン電話機２０の受話ゲインが０［ｄＢ］に設定されている。この設定状態において、ボタン電話機２０のユーザが受話音量不足と感じて、音量設定入力回路２４を操作することによりゲインアップして、＋６［ｄＢ］に設定したとする。この場合に、ボタン電話主装置１０の受話ゲインは−３［ｄＢ］のままである。従って、通話相手先端末３３からの受話信号は、−３［ｄＢ］＋６［ｄＢ］＝３［ｄＢ］の総合ゲインで増幅されることになる。
【００２１】
しかし、本発明にあっては、ボタン電話主装置１０及びボタン電話機２０内のＣＰＵ１７、２７を連携又は協働させて、図２の下欄に示す実行設定値の如く、ボタン電話主装置１０の受話ゲイン制御回路１５及びボタン電話機２０の受話ゲイン制御回路２５の受話ゲインを設定する。即ち、ボタン電話主装置１０の受話ゲイン制御回路１５の受話ゲインを−３［ｄＢ］から０［ｄＢ］に変更すると共に、ボタン電話機２０の受話ゲイン制御回路２５の受話ゲインを０［ｄＢ］から＋３［ｄＢ］に変更する。従って、通話相手先端末３３からの受話信号は、０［ｄＢ］＋３［ｄＢ］＝＋３［ｄＢ］の総合ゲインで増幅される点で、上述した場合と同じであるが、ボタン電話主装置１０及びボタン電話機２０それぞれの受話ゲインの変更は最小である。しかし、上述の如くボタン電話機２０の受話ゲイン制御回路２５の受話ゲインを＋６［ｄＢ］とすることにより生じるノイズは回避でき、良好な音声品質を維持することが可能である。
【００２２】
次に、図３のフローチャートを参照して、本発明によるボタン電話装置のゲイン制御方法について詳細に説明する。先ず、ボタン電話機２０は、通話相手先端末３３の発信を受信する。この受信は、通話相手先端末３３を、交換局３２、外線３１、ボタン電話主装置１０及び内線２１を介してボタン電話機２０に接続して行われる（ステップＳ１）。即ち、通話相手先端末３３からの音声は、交換局３２、外線３１、ボタン電話主装置１０の外線インタフェース１３、２線／４線変換回路１４、ボタン電話主装置１０のＣＰＵ１７に制御される受話ゲイン制御回路１５、内線インタフェース１９、内線２１、ボタン電話機２０の内線インタフェース２９、ＣＰＵ２７の制御下の受話ゲイン制御回路２５及びハンドセット出力回路２３を通り、ハンドセットの受話器２３ａから出力される。
【００２３】
次に、上述した通話が終話か否か判定される（ステップＳ２）。終話の場合（ステップＳ２：Ｙ）には、受話ゲイン制御回路１５、２５及び送話ゲイン制御回路１６、２６のゲイン設定値を実行ゲインへ設定する（ステップＳ３）。そして、通話閉路制御を行い（ステップＳ４）、動作を終了する（ステップＳ５）。
【００２４】
一方、終話でない場合、即ち通話を続行する場合（ステップＳ２：Ｎ）には、受話音量変更の有無を判断する（ステップＳ６）。通話音量の変更がない場合（ステップＳ６：Ｎ）には、上述したステップＳ２へ戻る。他方、通話音量の変更がある場合（ステップＳ６：Ｙ）には、受話音量の設定値をメモリ１８、２８に格納する（ステップＳ７）。次に、音量アップするか否かの判断（以下、「判断１」という）を行う（ステップＳ８）。この「判断１」において音量アップする場合（ステップＳ８：Ｙ）には、「条件１」を満足するか否かの判断（以下、「判断２」という）を行う（ステップＳ９）。ここで、「条件１」は、ボタン電話機２０の受話設定ゲイン＜０［ｄＢ］且つボタン電話主装置１０の受話ゲイン設定＞０［ｄＢ］である。
【００２５】
上記「判断２」において「条件１」を満足する場合（ステップＳ９：Ｙ）には、０［ｄＢ］をボタン電話機２０の受話実行ゲイン、ボタン電話機２０の受話設定ゲイン＋ボタン電話主装置１０の受話設定ゲインをボタン電話主装置１０の受話実行ゲイン（以下、「実行設定１」という）とする（ステップＳ１０）。他方、上記「判断２」において「条件１」を満足しない場合（ステップＳ９：Ｎ）には、「条件２」を満足するか否か判断（以下、「判断３」という）する（ステップＳ１１）。ここで、「条件２」は、ボタン電話機２０の受話設定ゲイン＞０且つボタン電話主装置１０の受話設定ゲイン＜０である。また、上記「判断１」において音量アップをしない場合（ステップＳ８：Ｎ）にも、「条件１」を満足するか否かの判断（以下、「判断４」という）する（ステップＳ１２）。そして、ステップＳ１１の「判断３」において「条件２」を満足する場合（ステップＳ１１：Ｙ）及びステップＳ１２の「判断４」において「条件１」を満足する場合（ステップＳ１２：Ｙ）には、０［ｄＢ］をボタン電話主装置１０の受話実行ゲインとし、ボタン電話機２０の受話設定ゲイン＋ボタン電話主装置１０の受話設定ゲインをボタン電話機２０の受話実行ゲイン（以下、「実行設定２」という）とする（ステップＳ１３）。
【００２６】
一方、上記「判断４」において「条件１」を満足しない場合（ステップＳ１２：Ｎ）には、「条件２」を満足するか否かの判断（以下、「判断５」という）を行う（ステップＳ１４）。この「判断５」において「条件２」を満足しない場合（ステップＳ１４：Ｎ）又は上記「判断３」において［条件２］を満足しない場合（ステップＳ１１：Ｎ）には、ボタン電話機２０の受話設定ゲインをボタン電話機２０の実行ゲインとし、ボタン電話主装置１０の受話設定ゲインをボタン電話主装置１０の受話設定ゲイン、即ち、変更なし（以下、「実行設定３」という）とする（ステップＳ１５）。また、上記「判断５」において「条件２」を満足する場合（ステップＳ１４：Ｙ）には、上述した「実行設定１」とする（ステップＳ１０）。そして、これらステップＳ１０、Ｓ１３又はステップＳ１５の後、上述したステップＳ２へ戻り、終話を判断する。
【００２７】
上述の如く、受話音量の変更をボタン電話機２０のユーザによる操作で行われる場合には、図３の「判断２」の条件には合致せず（Ｎ）、「判断３」の条件に合致する（Ｙ）ので、図２に示す実行設定値（この場合には、ボタン電話主装置１０の受話ゲインを０[ｄＢ]、ボタン電話機２０の受話ゲインを＋３ [ｄＢ]）を各受話ゲイン制御回路１５、２５に設定し、音量が変化か終話されるまで保持する。これにより、無駄なノイズの増幅が抑えられるため、通常の処理に比べて良好な通話品質を得ることが可能となる。尚、終話時には、通常の設定値を各受話ゲイン制御回路１５、２５に設定させることにより、次の通話での音量に影響を与えることがないことに注目されたい。
【００２８】
上述の如く、受話ゲイン制御回路１５、２５（又は送話ゲイン制御回路１６、２６）が、ボタン電話主装置１０及びボタン電話機２０の如く複数箇所に設けられている場合に、これら複数のゲイン制御回路の設定を考慮して、各ゲイン制御部のゲイン変化が最小になるように実行ゲインを決定することを特徴とする。従って、ノイズを低減させて良好な受話又は送話音質を維持することが可能である。
【００２９】
以上、本発明によるボタン電話装置及びそのゲイン制御方法の好適実施例について詳述した。しかし、斯かる実施例は、本発明の単なる例示に過ぎず、何ら本発明を限定するものではないことに留意されたい。本発明の要旨又は精神を逸脱することなく、特定用途に応じて種々の変形変更が可能であること、当業者には容易に理解できよう。
【００３０】
例えば、上述の好適実施例では、通話相手先端末が外線の場合について説明したが、通話相手先端末は外線に限定されず、内線でも同様な効果が得られる。また、上述の詳細説明は、外線通話の受話に関する制御を説明したが、送話ゲインに関する制御に関しても同様方法により、受話の場合と同様の効果が得られる。更にまた、上述の説明では、ゲイン制御回路がボタン電話主装置側及びボタン電話機側の２箇所の場合を説明したが、通話路に挿入されるゲイン制御回路が３個以上の場合であっても同様方法により、同様の効果が得られる。
【図面の簡単な説明】
【００３１】
【図１】本発明によるボタン電話装置の好適実施例の構成を示す機能ブロック図である。
【図２】本発明によるボタン電話装置における受話ゲイン設定値例を説明する図である。
【図３】本発明によるボタン電話装置のゲイン制御方法を示すフローチャートである。
【図４】従来のボタン電話装置におけるゲイン制御の説明図である。
【符号の説明】
【００３２】
１０  ボタン電話主装置（ＭＥ）
１５、２５  受話ゲイン制御回路
１６、２６  送話ゲイン制御回路
１７、２７  制御装置（ＣＰＵ）
１８、２８  メモリ
２０  ボタン電話機（ＴＥＬ）
２１  内線
２４  音量設定入力回路
３１  外線
３２  交換局
３３  通話相手先端末
【図１】
2006238262.tif 000003
【図２】
2006238262.tif 000004
【図３】
2006238262.tif 000005
【図４】
2006238262.tif 000006